(57)【特許請求の範囲】
【請求項１】
２つのフィールドで構成される１つの画面に対応する画像信号の各フィールドに属する画像信号を、それぞれ、記録媒体の複数のトラックに分けて、ＩＤデータとともに記録する機能と、前記トラックに記録された前記画像信号を消去する機能とを有する記録系を備えるスチルビデオ装置であって、
前記記録系は、前記各フィールドの画面をそれぞれ複数に分割してなる各分割画面に属する画像信号を、それぞれ、互いに異なるトラックに記録し、
前記ＩＤデータには、対応する画像信号が第１フィールドに属する画像信号と第２フィールドに属する画像信号との何れであるかを識別し得るデータが含まれており、
前記記録系は、一方のフィールドに属する画像信号を消去する消去パターンでの消去を行なう場合、前記ＩＤデータに基づいて、１つの画面に対応する画像信号が記録された複数のトラックのうち、前記一方のフィールドに属する画像信号が記録されたトラック群を設定し、前記トラック群に記録された画像信号を全て消去するよう構成されていることを特徴とするスチルビデオ装置。
【請求項２】
前記画像信号は、輝度信号と色差信号とで構成される請求項１に記載のスチルビデオ装置。
【請求項３】
前記輝度信号と前記色差信号とをそれぞれ複数のトラックに分けて記録する請求項２に記載のスチルビデオ装置。
【請求項４】
１または２のフィールドで構成され、１つの画面に対応する輝度信号と色差信号とで構成される画像信号の前記輝度信号と前記色差信号とを、それぞれ、記録媒体の複数のトラックに分けて、ＩＤデータとともに記録する機能と、前記トラックに記録された前記画像信号を消去する機能とを有する記録系を備えるスチルビデオ装置であって、
前記記録系は、前記フィールドの画面を複数に分割してなる各分割画面に属する輝度信号と、前記フィールドの画面を複数に分割してなる各分割画面に属する色差信号とを、それぞれ、互いに異なるトラックに記録し、
前記ＩＤデータには、対応する画像信号が輝度信号と色差信号との何れであるかを識別し得るデータが含まれており、
前記記録系は、色差信号を消去する消去パターンでの消去を行なう場合、前記ＩＤデータに基づいて、１つの画面に対応する画像信号が記録された複数のトラックのうち、前記色差信号が記録されたトラック群を設定し、前記トラック群に記録された画像信号を全て消去するよう構成されていることを特徴とするスチルビデオ装置。
【請求項５】
前記記録系により記録媒体に記録された画像信号を再生する再生系を備え、
前記再生系は、複数のトラックに記録された画像信号のそれぞれを合成して再生するよう構成されている請求項１ないし４のいずれかに記載のスチルビデオ装置。
【発明の詳細な説明】
【０００１】
【産業上の利用分野】
本発明は、画像信号を記録しまたは再生するスチルビデオ装置に関する。
【０００２】
【従来の技術】
近年、画像、音声またはその他の情報を記録および／または再生する記録再生装置が種々開発され、普及に至っている。このうち、スチルビデオカメラは、撮影画像をこの画像に関する諸情報とともに磁気ディスクに記録し、必要に応じて撮影した画像を静止画像として再生することができる装置である。
【０００３】
このスチルビデオカメラは、被写体像を固体撮像素子で光電変換して輝度信号および色差信号を得、これらの信号をＦＭ変調し、合成して多重の画像信号とし、この画像信号を回転する磁気ディスクのトラックに記録する方式を採用している。さらに、フィールド記録／フレーム記録の別、トラック番号、撮影年月日等に関するＩＤデータ信号をＤＰＳＫ（Ｄｉｆｆｅｒｅｎｔｉａｌ  Ｐｈａｓｅ  Ｓｉｆｔ  Ｋｅｙｉｎｇ）変調し、周波数多重方式によって上記画像信号に重ねて磁気ディスクに記録している。
【０００４】
磁気ディスクに記録された画像信号を再生する際には、ＦＭ復調された輝度信号および色差信号を、それぞれ、輝度信号から抽出された垂直および水平同期信号に基づいて生成されるサンプリングパルスに従って、デジタルデータとして一旦メモリーに蓄え、このデータを所定の基準クロックに従って読み出し、アナログ信号に変換した後、出力回路を経てビデオ出力端子に出力される。
【０００５】
このようなスチルビデオカメラに代表されるスチルビデオ装置のうち、１つの磁気ヘッドと画像信号を格納するメモリーを有するスチルビデオ装置において、フレーム記録を行う場合、２つのフィールド画像をそれぞれメモリーに一旦格納し、それぞれを１本のトラックに記録する。すなわち２つのフィールド画像を２本のトラックに記録する。消去に際しては、通常、１画面分の画像信号すなわち２フィールド分の画像信号を一括して消去するが、１ヘッドで消去するため、誤って、本来消去したくない他の画面を構成するトラックを消去してしまうことがある。
【０００６】
また、高画質を不要とし、磁気ディスクの利用効率を優先するという観点から、１フィールド分の画像信号、すなわち１トラックのみを消去できるように構成したスチルビデオ装置もある。
【０００７】
ところで、輝度信号と、線順次化された色差信号とを同一のトラックに重ねて記録する従来の記録方式の場合、輝度信号の周波数帯域と、色差信号の周波数帯域とを重複させることができないため、記録される輝度信号の周波数帯域および色差信号の周波数帯域は、それぞれ狭い範囲に制限される。このため、高精細度の画像、すなわち広帯域の画像信号による画像を記録することができなかった。
【０００８】
そこで、本出願人は、特願平３−２６８１０４号において、１つの画面に対応する画像信号を複数のトラックに分け、かつ時間軸伸長して記録することにより、記録する画像信号の周波数帯域を実質的に拡大し、高精細度の画像の記録を可能としたスチルビデオ装置を開示している。
【０００９】
このようなスチルビデオ装置において、フィールド記録またはフレーム記録を行なって、画像信号を複数のトラックに記録し、この後、前述のように、１または２フィールド分に相当する画像信号を消去する場合、本来消去すべきトラックのうちの何本かが消去されずに残ってしまうことがある。また、誤って、本来消去したくないトラックを消去してしまうことがある。
【００１０】
また、１つの画面に対応する画像信号を構成する輝度信号および２種の色差信号を、それぞれ、互いに異なる複数のトラックに記録可能なスチルビデオ装置において、フィールド記録またはフレーム記録を行なう場合、例えば磁気ディスクの外周側から２番目までのトラックに第１フィールドに属する輝度信号を記録し、それに続く４番目までのトラックに第２フィールドに属する輝度信号を記録し、それに続く８番目までのトラックに前記各輝度信号に対応する色差信号を記録するような記録パターンが挙げられ、この場合には１画像を記録するために、合計で８本のトラックを必要とする。
【００１１】
このような場合、前記と同様に高画質を不要とし、磁気ディスクの利用効率を優先するという観点から、画像を磁気ディスクに一度記録した後に、１フィールド分の画像信号のみを消去したいという要望がある。
また、磁気ディスクの利用効率を優先するという観点から、すなわち磁気ディスクに記録しうる画像数を多くするために、輝度信号と色差信号とを互いに異なるトラックに記録することを利用し、色差信号のみを消去して、磁気ディスクに一度記録されたカラー画像を白黒画像として残したいという要望がある。
【００１２】
しかし、従来のスチルビデオ装置には、所望のトラック、すなわち所望の種類の画像信号のみを消去する機能が無いので、上記要望を満足できず、またマニュアル操作により、例えば、１フィールド分に相当する画像信号または色差信号を消去する場合に、１フィールド分に相当する４本のトラックまたは色差信号分に相当する４本のトラックのうちの何本かが消去されずに残ってしまうことがある。
【００１３】
また、誤って、本来消去したくないトラックを消去してしまうことがある。例えば、一方のフィールドに属する画像信号を消去する場合に、他方のフィールドに属する画像信号や他の画面の画像信号の一部を消去してしまうことがあり、色差信号を消去する場合に、輝度信号や他の画面の画像信号の一部を消去してしまうことがある。
【００１４】
このように誤って消去されたトラックと同一のフィールドに残されたトラックまたは消去し忘れたトラックでは、正常な画像を構成できず、これらのトラックは無駄なスペースとなってしまうので、このようなトラックが磁気ディスクに混在することにより、磁気ディスクの利用効率が悪いという問題がある。
【００１５】
【発明が解決しようとする課題】
本発明の目的は、目的に応じた所定のトラック群に記録された画像信号を全て消去することにより、磁気ディスクの利用効率が良いスチルビデオ装置を提供することにある。
【００１６】
【課題を解決するための手段】
このような目的は、下記（１）〜（５）の本発明により達成される。
【００１７】
（１）  ２つのフィールドで構成される１つの画面に対応する画像信号の各フィールドに属する画像信号を、それぞれ、記録媒体の複数のトラックに分けて、ＩＤデータとともに記録する機能と、前記トラックに記録された前記画像信号を消去する機能とを有する記録系を備えるスチルビデオ装置であって、
前記記録系は、前記各フィールドの画面をそれぞれ複数に分割してなる各分割画面に属する画像信号を、それぞれ、互いに異なるトラックに記録し、
前記ＩＤデータには、対応する画像信号が第１フィールドに属する画像信号と第２フィールドに属する画像信号との何れであるかを識別し得るデータが含まれており、
前記記録系は、一方のフィールドに属する画像信号を消去する消去パターンでの消去を行なう場合、前記ＩＤデータに基づいて、１つの画面に対応する画像信号が記録された複数のトラックのうち、前記一方のフィールドに属する画像信号が記録されたトラック群を設定し、前記トラック群に記録された画像信号を全て消去するよう構成されていることを特徴とするスチルビデオ装置。
【００１８】
（２）  前記画像信号は、輝度信号と色差信号とで構成される上記（１）に記載のスチルビデオ装置。
【００１９】
（３）  前記輝度信号と前記色差信号とをそれぞれ複数のトラックに分けて記録する上記（２）に記載のスチルビデオ装置。
【００２０】
（４）  １または２のフィールドで構成され、１つの画面に対応する輝度信号と色差信号とで構成される画像信号の前記輝度信号と前記色差信号とを、それぞれ、記録媒体の複数のトラックに分けて、ＩＤデータとともに記録する機能と、前記トラックに記録された前記画像信号を消去する機能とを有する記録系を備えるスチルビデオ装置であって、
前記記録系は、前記フィールドの画面を複数に分割してなる各分割画面に属する輝度信号と、前記フィールドの画面を複数に分割してなる各分割画面に属する色差信号とを、それぞれ、互いに異なるトラックに記録し、
前記ＩＤデータには、対応する画像信号が輝度信号と色差信号との何れであるかを識別し得るデータが含まれており、
前記記録系は、色差信号を消去する消去パターンでの消去を行なう場合、前記ＩＤデータに基づいて、１つの画面に対応する画像信号が記録された複数のトラックのうち、前記色差信号が記録されたトラック群を設定し、前記トラック群に記録された画像信号を全て消去するよう構成されていることを特徴とするスチルビデオ装置。
【００２１】
（５）  前記記録系により記録媒体に記録された画像信号を再生する再生系を備え、
前記再生系は、複数のトラックに記録された画像信号のそれぞれを合成して再生するよう構成されている上記（１）ないし（４）のいずれかに記載のスチルビデオ装置。
【００２５】
【実施例】
以下、本発明のスチルビデオ装置を添付図面に示す好適実施例に基づき詳細に説明する。
図１は、本発明のスチルビデオ装置の記録系の構成例を示すブロック図である。同図に示すように、スチルビデオ装置１は、後述するスチルビデオ装置の諸機能を制御するシステム制御回路１０を有している。このシステム制御回路１０は、通常、マイクロコンピュータで構成されている。
【００２６】
スチルビデオ装置１には、磁気ディスクドライブ機構２が設置されている。この磁気ディスクドライブ機構２は、高速で回転し得るスピンドルモータ５を有し、このスピンドルモータ５の回転は、スピンドルモータ５に電力を供給して駆動するモータ駆動回路４と、この回路４の作動を制御するシステム制御回路１０とにより制御される。
【００２７】
磁気ディスクドライブ機構２には、撮影する画像、音声、画像に関する諸データ等を記録する記録媒体として、磁気ディスク３が例えばケースに収納された状態で装填される。磁気ディスク３は、円形のシート材の表面に磁性層が形成されたもので、複数（通常５２本）の円環状のトラックが同心的に形成される。また、磁気ディスク３の中心は、スピンドルモータ５の回転軸に嵌合するような構造とされ、記録および再生時においては、磁気ディスク３は、スピンドルモータ５によって一定の速度（ＮＴＳＣ方式の場合３６００ｒｐｍ  、ＰＡＬ方式の場合３０００ｒｐｍ  ）で回転される。
【００２８】
スピンドルモータ５からは、スピンドルモータ５の回転数に対応した所定数のＦＧパルスが出力され、スピンドルモータ５の回転軸にセットされた磁気ディスク３の中心付近からは、磁気ディスク１回転毎に１つのＰＧパルスが出力される。システム制御回路１０は、これらのパルス信号に基づいてスピンドルモータ５の回転を制御し、記録および再生時に磁気ディスク３を一定の速度で回転させる。
【００２９】
また、磁気ディスクドライブ機構２には、磁気ヘッド６が設置されている。
この磁気ヘッド６は、図示しないステッピングモータによって、磁気ディスク３の半径方向に連続的または断続的（間欠的）に移動するようになっている。すなわち、記録時および再生時等には、ステッピングモータを駆動して、磁気ヘッド６を磁気ディスク３の所定のトラック上に移動し、再生時には、磁気ヘッド６をトラック上の適正位置に置き、最大の出力が得られるように磁気ヘッド６の位置を微調整するオートトラッキングを行う。
【００３０】
このような磁気ヘッド６の移動量、移動速度および移動タイミングは、トラッキング駆動回路７により制御される。なお、このトラッキング駆動回路７の作動は、システム制御回路１０により制御される。
【００３１】
システム制御回路１０には、操作部８が接続されている。操作部８には、例えば、フィールド記録／フレーム記録の一方を選択する選択スイッチ、磁気ヘッド６を磁気ディスク３の所定のトラック上に移動させるヘッド送りスイッチ、画像信号を磁気ディスク３上に記録するためのＲｅｃスイッチ、磁気ディスク３に記録された画像信号を消去する消去スイッチ、後述する消去パターンの選択スイッチ、記録処理方式に関するノーマル（標準画像）／高精細度画像の選択スイッチ等（いずれも図示せず）が必要に応じ設置さている。また、記録系および再生系の双方を有するスチルビデオ装置の場合、操作部８には、記録／再生のいずれかを選択するスイッチ（図示せず）も設置されている。
【００３２】
また、システム制御回路１０には、図示しない表示部が接続されている。この表示部には、例えば、フィールド記録／フレーム記録の別、ノーマル／高精細度の別、トラック番号、トラックの記録有無、撮影年月日等の情報、磁気ディスク３の装填の有無、電源に関する情報、ストロボの発光に関する情報、現在の時間等のうちの必要な情報が、例えば液晶や発光素子により表示される。また、記録系および再生系の双方を有するスチルビデオ装置の場合、表示部には、記録／再生の別も表示される。
【００３３】
スチルビデオ装置がスチルビデオカメラの場合、図示しない撮像部を有する。この撮像部は、図示しないレンズ系、絞り、ミラー、光学フィルター、シャッタおよび固体撮像素子（ＣＣＤ）等で構成され、シャッタの開放時、被写体の画像がレンズ系等を経てＣＣＤ上に結像する。なお、ＣＣＤとしては、黒白画像用、カラー画像用のいずれでもよいが、本実施例では、カラー画像について説明する。
【００３４】
ＣＣＤにおいては、結像した画像を光電変換し、色信号（Ｒ、Ｇ、Ｂ）を出力する。これらの色信号は、図示しないアンプにより増幅され、さらに、図示しないプロセス／マトリクス回路により輝度信号（Ｙ）と２つの色差信号（Ｒ−Ｙ、Ｂ−Ｙ）とに分離される。また、輝度信号には、図示しない同期信号発生回路により、高精細画像信号対応の水平および垂直同期信号（ＳＨ  ）が付加され、輝度信号（Ｙ＋ＳＨ  ）として出力される。また、ハイビジョン信号の場合には、２つの色差信号（Ｒ−Ｙ、Ｂ−Ｙ）にもそれぞれ水平および垂直同期信号（ＳＨ  ）が付加される。なお、スチルビデオ装置が撮像部を有しないものである場合、これらの信号は、外部入力端子から入力される。
【００３５】
図１に示すように、輝度信号（Ｙ＋ＳＨ  ）は、ローパスフィルター１１Ａを通過してノイズ（サンプリングによる折り返しノイズ）となり得る高域をカットされる。この輝度信号（Ｙ＋ＳＨ  ）からは、同期信号分離回路１３により水平および垂直同期信号（ＳＨ  ）が分離、抽出され、クロック生成回路１４に入力される。このクロック生成回路１４では各メモリーへの書き込みの基準となるメモリー書込クロック信号が生成され、このメモリー書込クロック信号はメモリー制御回路１２およびＡ／Ｄ変換器１５Ａのそれぞれに入力される。
【００３６】
水平および垂直同期信号（ＳＨ  ）が分離された輝度信号（Ｙ）は、Ａ／Ｄ変換器１５Ａによりデジタル信号に変換され、Ｙメモリー１６Ａに一旦蓄えられる。
色差信号（Ｒ−Ｙ）（以下、色差信号（Ｐｒ）という）は、ローパスフィルター１１Ｂを通過した後、Ａ／Ｄ変換器１５Ｂによりデジタル信号に変換され、Ｐｒメモリー１６Ｂに一旦蓄えられる。また、同様に色差信号（Ｂ−Ｙ）（以下、色差信号（Ｐｂ）という）は、ローパスフィルター１１Ｃを通過した後、Ａ／Ｄ変換器１６Ｃによりデジタル信号に変換され、Ｐｂメモリー１６Ｃに一旦蓄えられる。
【００３７】
メモリー制御回路１２は、クロック生成回路１４からのメモリー書込クロック信号に基づいて、各メモリー１６Ａ〜１６Ｃへの書き込みのタイミングをとりつつ下記の制御を行なう。
すなわち、クロック生成回路１４からのメモリー書込クロック信号に基づいて、Ａ／Ｄ変換器１５Ａが作動するとともに、メモリー制御回路１２は、内蔵する書き込み用アドレスカウンターを作動させて、Ｙメモリー１６Ａの所定のアドレスに輝度信号（Ｙ）のデジタルデータを書き込んでいく。
【００３８】
また、クロック生成回路１４からのメモリー書込クロック信号は、分周器１７により１／２に分周され、Ａ／Ｄ変換器１５Ｂおよび１５Ｃを作動させるとともに、メモリー制御回路１２は、内蔵する書き込み用アドレスカウンターを作動させて、Ｐｒメモリー１６ＢおよびＰｂメモリー１６Ｃの所定のアドレスにそれぞれ色差信号（Ｐｒ）および色差信号（Ｐｂ）のデジタルデータを書き込んでいく。
なお、輝度信号等の入力信号中に含まれる同期信号（ＳＨ  ）は、サンプリングされず、従って、メモリーへは書き込まれない。
【００３９】
同期信号発生回路１８からは、例えばＮＴＳＣ方式に準じた水平および垂直同期信号（Ｓ）が出力され、クロック生成回路１９に入力される。このクロック生成回路１９では各メモリーからの読み出しの基準となるメモリー読出クロック信号が生成され、このメモリー読出クロック信号は、メモリー制御回路１２、Ｄ／Ａ変換器２０Ａ、２０Ｂおよび２０Ｃにそれぞれ入力される。
【００４０】
メモリー制御回路１２は、クロック生成回路１９からのメモリー読出クロック信号に基づいて、各メモリー１６Ａ〜１６Ｃからの読み出しのタイミングをとりつつ下記の制御を行なう。
すなわち、クロック生成回路１９からのメモリー読出クロック信号に基づいて、メモリー制御回路１２は、内蔵する読み出し用アドレスカウンターを作動させて、Ｙメモリー１６Ａの所定のアドレスから輝度信号（Ｙ）のデジタルデータを読み出すとともに、Ｄ／Ａ変換器２０Ａが作動して、読み出された輝度信号（Ｙ）のデジタル信号をアナログ信号に変換する。
【００４１】
また、クロック生成回路１９からのメモリー読出クロック信号に基づいて、メモリー制御回路１２は、内蔵する書き込み用アドレスカウンターを作動させて、Ｐｒメモリー１６ＢおよびＰｂメモリー１６Ｃの所定のアドレスからそれぞれ色差信号（Ｐｒ）および色差信号（Ｐｂ）のデジタルデータを読み出すとともに、Ｄ／Ａ変換器２０Ｂおよび２０Ｃが作動して、読み出された各色差信号のデジタル信号をアナログ信号に変換する。
【００４２】
なお、メモリー制御回路１２において、メモリーの書込制御と読出制御とのモード切り換えは、システム制御回路１０からのモード切換指令信号により制御される。
【００４３】
また、同期信号分離回路１３からの水平および垂直同期信号（ＳＨ  ）と、同期信号発生回路１８からの水平および垂直同期信号（Ｓ）とは、それぞれ、システム制御回路１０へも入力され、これに基づいてスピンドルモータ５の回転位相制御を行ったり、その他各種動作のタイミング信号として利用される。
【００４４】
このような高精細度画像の記録の場合、クロック生成回路１９からのメモリー読出クロック信号は、クロック生成回路１４からのメモリー書込クロック信号に比して、小さい周波数、例えば１／４の周波数を有している。従って、輝度信号の読出クロック信号の周波数は、書込クロック信号の周波数の１／４であり、両色差信号の読出クロック信号の周波数は、書込クロック信号の周波数の１／２であり、これにより記録系に入力された信号に比べ、時間軸伸長されて記録されることとなる。
【００４５】
アナログ信号とされた輝度信号（Ｙ）、色差信号（Ｐｒ）および色差信号（Ｐｂ）は、それぞれ、ローパスフィルター２１Ａ、２１Ｂおよび２１Ｃにより高域をカットされた後、同期信号付加回路２２Ａ、２２Ｂおよび２２Ｃによって、同期信号発生回路１８からの垂直および水平同期信号（Ｓ）が付加される。
【００４６】
同期信号付加回路２２Ａ、２２Ｂおよび２２Ｃには、それぞれ、切替スイッチ２３の端子ａ、ｂおよびｃが接続されている。切替スイッチ２３において接続する端子ａ、ｂ、ｃの切り替えの制御は、システム制御回路１０により行われ、輝度信号（Ｙ＋Ｓ）、色差信号（Ｐｒ＋Ｓ）および色差信号（Ｐｂ＋Ｓ）を順次記録処理回路２４へ入力する。記録処理回路２４では、入力された各信号をＦＭ変調する。
【００４７】
また、システム制御回路１０からは、フィールド記録／フレーム記録の別、フレーム記録の場合のフィールド番号、ノーマル記録／高精細記録の別、記録する画像信号の種類すなわち輝度信号（Ｙ＋Ｓ）／色差信号（Ｐｒ＋Ｓ）／色差信号（Ｐｂ＋Ｓ）の別、１画面のうちの構成部分（例えば、４分割の場合には、画面の左上／左下／右上／右下の別）、トラック番号、撮影年月日等の画像情報に関するＩＤデータ信号が出力され、ＩＤ記録処理回路２５は、前記同期信号発生回路１８からの水平同期信号（Ｓ）に基づいて生成されるキャリア（搬送波）を前記ＩＤデータ信号に基づいてＤＰＳＫ変調し、ＤＰＳＫ信号を得る。なお、このＩＤデータについては後述する。
【００４８】
このＩＤデータに関するＤＰＳＫ信号は、加算器２６により、記録処理回路２４にてＦＭ変調された画像信号と合成される。加算器２６には、記録／消去を選択する切替スイッチ２９の端子ｄが接続されている。この切替スイッチ２９は、記録時には端子ｄが、消去時には端子ｅが接続状態となる。なお、切替スイッチ２９において接続する端子ｄ、ｅの切り替えの制御は、システム制御回路１０により行われる。
【００４９】
加算器２６にて合成された画像信号は、端子ｄが接続している切替スイッチ２９を経た後、システム制御回路１０により制御される記録アンプ２７にて増幅され、磁気ヘッド６により、回転している磁気ディスク３の所定のトラックに記録される。
【００５０】
高精細度画像の記録は、１画面に対応する画像信号を複数のトラックに分けて時間軸伸長して記録するため、各メモリー１６Ａ〜１６Ｃへのデータの格納も、次のように分割して行われる。
【００５１】
図３は、メモリー１６Ａ〜１６Ｃにおける画像信号の記憶領域パターンの一例を示す模式図である。この図に示す例は、画像信号をフレーム記録モードにより記録し、かつ輝度信号（Ｙ）、色差信号（Ｐｒ）および色差信号（Ｐｂ）のそれぞれを複数のトラックに記録する高精細度画像記録の例である。すなわち、１画面は第１フィールドおよび第２フィールドにより構成され、輝度信号（Ｙ）は１画面について４分割され、色差信号（Ｐｒ）および色差信号（Ｐｂ）はそれぞれ１画面について２分割されて、対応するメモリー１６Ａ〜１６Ｃに格納される。なお、図３では、メモリー上での画像信号の記憶領域の配置を示すとともに、ディスプレーに表示される画面（静止画像）の構成にも対応している。
【００５２】
輝度信号（Ｙ）については、画面は、水平方向および垂直方向にそれぞれ延びる中心線ＥおよびＦにより４分割され、第１フィールドでは、その左上に対応する輝度信号Ｙ１  、右上に対応する輝度信号Ｙ２  、左下に対応する輝度信号Ｙ３  および右下に対応する輝度信号Ｙ４  は、それぞれ、Ｙメモリー１６Ａの第１領域、第２領域、第３領域および第４領域に格納される。
【００５３】
色差信号（Ｐｒ）については、画面は、水平方向に延びる中心線Ｇにより２分割され、第１フィールドでは、その上半分に対応する色差信号Ｐｒ１  および下半分に対応する色差信号Ｐｒ２  は、それぞれ、Ｐｒメモリー１６Ｂの第５領域および第６領域に格納される。
【００５４】
色差信号（Ｐｂ）については、画面は、水平方向に延びる中心線Ｇにより２分割され、第１フィールドでは、その上半分に対応する色差信号Ｐｂ１  および下半分に対応する色差信号Ｐｂ２  は、それぞれ、Ｐｂメモリー１６Ｃの第７領域および第８領域に格納される。
【００５５】
第２フィールドについても同様に、画面の左上、右上、左下および右下に対応する輝度信号Ｙ５  、Ｙ６  、Ｙ７  およびＹ８  は、それぞれ、Ｙメモリー１６Ａの第９領域、第１０領域、第１１領域および第１２領域に格納され、画面の上部および下部に対応する色差信号Ｐｒ３  およびＰｒ４  は、それぞれ、Ｐｒメモリー１６Ｂの第１３領域および第１４領域に格納され、画面の上部および下部に対応する色差信号Ｐｂ３  およびＰｂ４  は、それぞれ、Ｐｂメモリー１６Ｃの第１５領域および第１６領域に格納される。
【００５６】
ここで、１画面のうちの各信号毎の各分割画面（以下、各信号毎の各分割画面を構成画面という）のそれぞれに構成画面番号Ｎｏ．１〜１６を付ける。この場合、構成画面番号Ｎｏ．１〜１６は、それぞれ、Ｙ１  、Ｙ２  、Ｙ３  、Ｙ４  、Ｐｒ１  、Ｐｒ２  、Ｐｂ１  、Ｐｂ２  、Ｙ５  、Ｙ６  、Ｙ７  、Ｙ８  、Ｐｒ３  、Ｐｒ４  、Ｐｂ３  、Ｐｂ４  に対応している。
【００５７】
図４は、磁気ディスク３上に形成されるトラックパターンの一例を示す図である。同図に示すように、上記各画像信号は、磁気ディスク３の半径方向に連続して並ぶ１６本のトラックに記録される。この場合、第１フィールドに属する画像信号を連続して並ぶ８本のトラックに記録し、第２フィールドに属する画像信号を連続して並ぶ他の８本のトラックに記録する。図示の構成では、磁気ディスク３の外周側から内周側に向けて、第１フィールドの輝度信号Ｙ１  、Ｙ２  、Ｙ３  、Ｙ４  、色差信号Ｐｒ１  、Ｐｒ２  、色差信号Ｐｂ１  、Ｐｂ２  、第２フィールドの輝度信号Ｙ５  、Ｙ６  、Ｙ７  、Ｙ８  、色差信号Ｐｒ３  、Ｐｒ４  、色差信号Ｐｂ３  、Ｐｂ４  の順に１トラックずつ連続的に記録されている。
【００５８】
図５は、高精細度画像の記録において、スチルビデオ装置の記録系に入力される輝度信号（Ｙ）とトラックに記録される輝度信号（Ｙ）との関係を示すタイムチャートである。１画面は、前記第１フィールドおよび第２フィールドで構成されており、このうち、図５には第１フィールドの輝度信号が示されている。この第１フィールドの輝度信号は、多数の水平走査線Ｈで構成されており、１本の水平走査線Ｈに対応する輝度信号は、隣接する２つの水平同期信号ＳＨ  の間（以下、水平同期期間という）に存在する。
【００５９】
輝度信号の記録の際には、切替スイッチ２３の端子ａが接続状態とされ、磁気ヘッド６が磁気ディスク３の外周側の第１トラックから第４トラックまで順次移動する。すなわち、輝度信号Ｙ１  の記録の際には、磁気ヘッド６が第１トラック上に、輝度信号Ｙ２  の記録の際には、磁気ヘッド６が第２トラック上に、輝度信号Ｙ３  の記録の際には、磁気ヘッド６が第３トラック上に、輝度信号Ｙ４  の記録の際には、磁気ヘッド６が第４トラック上にそれぞれ移動し、記録を行う（図４参照）。なお、ここで、第Ｎトラックとは、磁気ディスク３の最外周からＮ番目のトラックという意味ではなく、任意のトラックを基準としたときの相対的なトラック番号を意味する。
【００６０】
図５に示すように、Ｙメモリー１６Ａに書き込まれるときの輝度信号Ｙ１  〜Ｙ４  の周波数帯域をｆＨ  とすると、Ｙメモリー１６Ａから読み出されるときに４倍時間伸長されるため、第１〜第４トラックに記録される輝度信号Ｙ１  〜Ｙ４  の周波数帯域はｆＨ  ／４となる。磁気ディスク３の特性上、記録し得る帯域には制限があるが、このような構成では、それ以上の帯域の輝度信号を実質的に記録することができ、高精細度画像の記録が実現される。
【００６１】
図６は、高精細度画像の記録において、スチルビデオ装置の記録系に入力される色差信号（Ｐｒ）とトラックに記録される色差信号（Ｐｒ）との関係を示すタイムチャートである。１画面は、前記第１フィールドおよび第２フィールドで構成されており、このうち、図６には第１フィールドの色差信号（Ｐｒ）が示されている。この第１フィールドの色差信号は、多数の水平走査線Ｈで構成されており、１水平同期期間内に１本の水平走査線Ｈに対応する色差信号が存在する。
【００６２】
色差信号（Ｐｒ）の記録の際には、切替スイッチ２３の端子ｂが接続状態とされ、磁気ヘッド６が第５トラックおよび第６トラックに順次移動し、これに伴い、色差信号Ｐｒ１  は、第５トラックに記録され、色差信号Ｐｒ２  は、第６トラックに記録される（図４参照）。
【００６３】
図６に示すように、Ｐｒメモリー１６Ｂに書き込まれるときの色差信号Ｐｒ１  、Ｐｒ２  の周波数帯域は、ｆＨ  ／２であり、Ｐｒメモリー１６Ｂから読み出されるときに２倍時間伸長されるため、第５および第６トラックに記録される色差信号Ｐｒ１  、Ｐｒ２  の周波数帯域はｆＨ  ／４となる。磁気ディスク３の特性上、記録し得る帯域には制限があるが、このような構成では、それ以上の帯域の色差信号を実質的に記録することができ、高精細度画像の記録が実現される。
【００６４】
色差信号（Ｐｂ）の記録の際には、切替スイッチ２３の端子ｃが接続状態とされ、磁気ヘッド６が第７トラックおよび第８トラックに移動し、図示しないが、前記色差信号（Ｐｒ）と同様に、色差信号Ｐｂ１  は、ｆＨ  ／４の帯域で第７トラックに記録され、色差信号Ｐｂ２  は、ｆＨ  ／４の帯域で第８トラックに記録される。
【００６５】
第２フィールドにおける輝度信号Ｙ５  〜Ｙ８  、色差信号Ｐｒ３  、Ｐｒ４  、Ｐｂ３  およびＰｂ４  の記録についても、前記第１フィールドと同様であり、それぞれ、第（Ｎ＋８）トラック（Ｎ＝１〜８）に記録される（図４参照）。
なお、磁気ディスク３に記録される同期信号は、高精細度画像用の同期信号（ＳＨ  ）ではなく、例えばＮＴＳＣ方式に準じた同期信号（Ｓ）に置き換えられたものとなる。
【００６６】
図７は、ＩＤコードのビットアロケーションを示す図である。
図７において、１水平走査期間（１水平同期期間）の２倍の期間に１ビット分のデータが記録される。このＩＤコードの構成自体は、通常のスチルビデオ装置において用いられるものと同一であり、ＩＤコードにはユーザーズエリアが設けられている。本実施例では、このユーザーズエリアを利用して、記録、消去、再生等を行なう際の所定の処理を自動的に行なうために必要な情報を記録するように構成している。
【００６７】
ユーザーズエリアでは、記録モードを示すために２ビット、フィールド記録／フレーム記録の第１フィールド／フレーム記録の第２フィールドの別を示すために２ビット、トラッキング方向を示すために１ビット、先頭トラック番号を示すために７ビット、次トラック番号を示すために７ビット、１画面のうちの構成部分（構成画面）を示すために４ビットが割り当てられており、残りの３１ビットは未使用またはこの他の情報を記録するために用いられる。これらについて、下記表に基づいて詳細に説明する。
下記表１は、記録モードに関するビットパターンを示す。
【００６８】
【表１】
0003548187.tif 000002
【００６９】
標準信号標準記録（ノーマル記録）モードとは、例えば、ＮＴＳＣ方式に対応した画像信号等の標準画像信号を時間軸伸長や画面分割等を行なわず、そのまま記録する方式を意味する。この標準信号標準記録モードは、２ビットを「００」にセットすることにより示される。
【００７０】
標準信号高精細記録（色差信号別トラック記録）モードとは、標準画像信号の輝度信号と、色差信号とを互いに異なるトラックに記録する方式を意味する。この標準信号高精細記録モードは、２ビットを「０１」にセットすることにより示される。
【００７１】
高精細信号記録（画像分割記録）モードとは、例えば、ＨＤＴＶ方式に対応した高精細度の画像信号を画面上で複数に分割し、各分割画面に対応する高精細度の画像信号を時間軸伸長により標準画像信号に変換して、複数のトラックに記録する方式を意味する。この場合、時間軸伸長により帯域が実質的に拡大される。この高精細信号記録モードは、２ビットを「１０」にセットすることにより示される。なお、図４に示す本実施例の記録方式がこの高精細信号記録モードである。
【００７２】
標準信号トラック分離フレーム記録モードとは、標準画像信号を時間軸伸長や画面分割等を行なわず、そのままフレーム記録する方式であり、第１フィールドの画像信号を記録するトラックと、第２フィールドの画像信号を記録するトラックとを互いに分離させる方式を意味する。この標準信号トラック分離フレーム記録モードは、２ビットを「１１」にセットすることにより示される。
下記表２は、フィールド記録／フレーム記録の別およびフレーム記録の場合の第１フィールド／第２フィールドの別に関するビットパターンを示す。
【００７３】
【表２】
0003548187.tif 000003
【００７４】
フィールド記録は、２ビットを「００」にセットすることにより示される。
また、フレーム記録の第１フィールドは、２ビットを「０１」にセットすることにより示され、フレーム記録の第２フィールドは、２ビットを「１０」にセットすることにより示される。
下記表３は、トラッキング方向に関するビットパターンを示す。
【００７５】
【表３】
0003548187.tif 000004
【００７６】
磁気ヘッド６を磁気ディスク３の外周側から内周側に移動させる場合は、１ビットを「０」にセットすることにより示され、磁気ヘッド６を磁気ディスク３の内周側から外周側に移動させる場合は、１ビットを「１」にセットすることにより示される。
【００７７】
図７に示すユーザーズエリアに設けられている先頭トラック番号とは、１つの画面の各構成画面のうち、先頭の構成画面が記録されているトラックの絶対トラック番号を意味する。この先頭トラック番号に関するビットパターンは、フォーマットにあるトラック番号のビットパターンと同一である。
【００７８】
また、次トラック番号とは、１つの画面の各構成画面のうち、現構成画面の次の構成画面が記録されているトラックの絶対トラック番号を意味する。この次トラック番号に関するビットパターンは、フォーマットにあるトラック番号のビットパターンと同一である。
下記表４は、１つの画面を構成する各構成画面に関するビットパターンを示す。
【００７９】
【表４】
0003548187.tif 000005
【００８０】
この構成画面番号の情報は、そのＩＤデータが記録されているトラックの画像信号が、分割された画面のどの領域に属するか、さらにはその画像信号が、輝度信号（Ｙ）、色差信号（Ｐｒ）および色差信号（Ｐｂ）のうちのいずれであるかを示すものである。
【００８１】
図３に示すように、例えば、本実施例では１つの画面を構成する各構成画面には、それぞれ、Ｎｏ．１〜１６の構成画面番号が付けられている。Ｎｏ．１〜１６は、それぞれ、４ビットを「０００１」、「００１０」、「００１１」、「０１００」、「０１０１」、「０１１０」、「０１１１」、「１０００」、「１００１」、「１０１０」、「１０１１」、「１１００」、「１１０１」、「１１１０」、「１１１１」、「００００」にセットすることにより示される。
【００８２】
次に、消去について詳細に説明する。
図１に示すように、スチルビデオ装置１は、消去信号発生回路２８を有し、この消去信号発生回路２８は、記録／消去を選択する切替スイッチ２９の端子ｅに接続されている。例えば、操作部８にある消去スイッチを操作すると、システム制御回路１０による制御により、切替スイッチ２９の端子ｅが接続状態となるとともに、消去信号発生回路２８が作動して消去信号が出力され、この消去信号が記録アンプ２７にて増幅され、磁気ヘッド６により、回転する磁気ディスク３の所定のトラックに記録された画像信号を消去する。
【００８３】
このスチルビデオ装置１は、１つの画面に対応する画像信号が記録された複数のトラックのうち、画像信号の種類に起因した所定のトラック群を設定し、この設定された所定のトラック群のみに記録された画像信号であって、その全てを消去しうるように構成されている。
この場合、設定される所定のトラック群（以下、設定トラック群という）とは、１つの画面に対応する画像信号が記録されているトラックのうち、全てのトラックの場合と、使用者によって選択された一部のトラックの場合とを含む。
【００８４】
本発明は、磁気ディスク３上の一定の記録スペースに、より多くの画像を記録するために、１つの画面を構成する全トラックのうち、一部のトラックに記録された画像信号を消去することができるものであり、残されたトラックに記録された画像信号を再生すれば、所望の画像が得られる。
画像信号の設定トラック群（消去パターン）としては、１つの画面に対応する画像信号が記録されているトラックを全て消去する全トラック消去の他、例えば、次の▲１▼、▲２▼のパターンが挙げられる。
【００８５】
▲１▼フレーム記録の場合において、１フレームを構成する２フィールドのうち、いずれか一方のフィールドに属する画像信号のみを消去する消去パターン。
この消去パターンは、例えば、高画質を不要とし、磁気ディスクの省スペース化による磁気ディスクの利用効率を優先するような場合、すなわち磁気ディスク上の一定の記録スペースに、より多くの画像を記録するような場合に選択される。
【００８６】
▲２▼輝度信号と色差信号とを互いに異なるトラックに記録する場合において、色差信号のみを消去する消去パターン。
この消去パターンは、磁気ディスクに一度記録されたカラー画像を白黒画像として残すことにより、磁気ディスクの省スペース化を図り、磁気ディスクの利用効率を良くする場合、すなわち磁気ディスク上の一定の記録スペースに、より多くの画像を記録するような場合に選択される。
【００８７】
図８、図９および図１０は、それぞれ画像信号の消去のシーケンスを示すフローチャートである。以下、これらのフローチャートについて説明する。
画像信号を消去する場合には、磁気ディスク３の全トラックについて、プリサーチを行なって、各トラックに記録されているＩＤデータをシステム制御回路１０に入力しておく。
【００８８】
まず、後述するようにして、画像信号を再生し、操作部８により消去する画像の選択を行なう（ステップ１０１）。
次いで、操作部８の消去スイッチをオンし、消去モードにする（ステップ１０２）。
【００８９】
次いで、設定トラック群を決定する。具体的には、操作部８の選択スイッチにより、消去パターンの選択を行なう（ステップ１０３）。本実施例における消去パターンとしては、１つの画面に対応する画像信号をすべて消去する全トラック消去、フレーム記録の場合において第１フィールドに属する画像信号のみを消去する第１フィールド消去、フレーム記録の場合において第２フィールドに属する画像信号のみを消去する第２フィールド消去、色差信号（Ｐｒ）および（Ｐｂ）のみを消去する色差信号トラック消去があり、これらの消去パターンから１または２パターンを選択する。
【００９０】
このように１つの画面について消去パターンが選択された後、全トラック消去が選択されているか否かを判断し（ステップ１０４）、全トラック消去が選択されている場合には、前述したＩＤデータに基づいて全トラック消去を実行する（ステップ１０５）。具体的には、後述するステップ１０７とステップ１０９とを連続して実行する。
【００９１】
ステップ１０４において全トラック消去が選択されていないと判断した場合には、第１フィールド消去が選択されているか否かを判断し（ステップ１０６）、第１フィールド消去が選択されている場合には、ＩＤデータに基づいて第１フィールド消去を実行する（ステップ１０７）。
【００９２】
ステップ１０６において第１フィールド消去が選択されていないと判断した場合には、第２フィールド消去が選択されているか否かを判断し（ステップ１０８）、第２フィールド消去が選択されている場合には、ＩＤデータに基づいて第２フィールド消去を実行する（ステップ１０９）。
【００９３】
ステップ１０８において第２フィールド消去が選択されていないと判断した場合、ステップ１０７において第１フィールド消去を実行した後およびステップ１０９において第２フィールド消去を実行した後には、それぞれ、色差信号トラック消去が選択されているか否かを判断し（ステップ１１０）、色差信号トラック消去が選択されている場合には、色差信号トラック消去を実行する（ステップ１１１）。なお、ステップ１０８において第２フィールド消去が選択されていないと判断され、かつ、ステップ１１０において色差信号トラック消去が選択されていると判断された場合には、ステップ１１１において第１フィールドおよび第２フィールドの全ての色差信号が消去される。
【００９４】
ステップ１１１において色差信号トラック消去が選択されていないと判断した場合には、消去を行なわず、このプログラムを終了する。
なお、本実施例では磁気ディスク３の全トラックについてプリサーチを行なっているが、このプリサーチは省略されていてもよい。プリサーチを省略しても、ステップ１０１において画像信号を再生する際に、ＩＤデータがシステム制御回路１０に入力されるので、そのＩＤデータに基づいて消去が実行される。
【００９５】
本実施例では、１つの画面に対応した画像信号についての消去パターンが選択され、その消去を実行する場合には、ＩＤデータを利用して、選択された種類の画像信号のみを消去し、かつ、選択された種類の画像信号の全てを消去する。
【００９６】
図９は、前記ステップ１０６の判断において第１フィールド消去が選択されていると判断された場合、すなわち図４に示すトラックパターンで記録されているときに、第１フィールドの画像信号の消去を行う場合のシーケンスを示すフローチャートである。
【００９７】
磁気ディスク３の各トラックに記録されているＩＤデータ中の先頭トラック番号、構成画面番号等に関する情報に基づいて、消去すべき画像の第１フィールドの先頭トラック（図４に示すトラックパターンにおいては、Ｙ１  に相当する）を検出し、この先頭トラック上に磁気ヘッド６を移動し（ステップ３０１）、カウンタをｎ＝１にセットする（ステップ３０２）。
【００９８】
次に、ｎ≦８であるか否かを判断し（ステップ３０３）、ｎ≦８の場合には、当該トラック（現在磁気ヘッド６が位置しているトラック）に記録されている信号の消去を行う（ステップ３０４）。
【００９９】
ステップ３０４が終了したら、ＩＤデータ中の次トラック番号、構成画面番号等に関する情報に基づいて、消去すべき画像の第１フィールドにおける次トラック（図４に示すトラックパターンにおいては、Ｙ２  に相当する）を検出し、この次トラック上に磁気ヘッド６を移動し（ステップ３０５）、カウンタｎを１だけインクリメントし（ステップ３０６）、再びステップ３０３へ戻る。
ステップ３０３において、ｎ＞８となったらこのプログラムを終了する。
【０１００】
図９に示すプログラムの実行により、磁気ディスク３の径方向に連続して並ぶ８本のトラックに記録された輝度信号Ｙ１  〜Ｙ４  、色差信号Ｐｒ１  、Ｐｒ２  、Ｐｂ１  およびＰｂ２  が順次消去される。
第２フィールドを消去する場合も同様に、ＩＤデータに基づき、図４に示すトラックパターンの例では、輝度信号Ｙ５  〜Ｙ８  、色差信号Ｐｒ３  、Ｐｒ４  、Ｐｂ３  およびＰｂ４  が順次消去される。
【０１０１】
図１０は、前記ステップ１０６および１０８の判断において、それぞれ第１フィールド消去および第２フィールド消去が選択されていないと判断され、前記ステップ１１０の判断において色差信号トラック消去が選択されていると判断された場合、すなわち図４に示すトラックパターンで記録されているときに、第１フィールドおよび第２フィールドに属する色差信号の消去を行う場合のシーケンスを示すフローチャートである。
【０１０２】
磁気ディスク３の各トラックに記録されているＩＤデータに基づいて、消去すべき画像の第１フィールドに属する色差信号Ｐｒ１  が記録されている第５番目のトラックを検出し、この第５番目のトラック上に磁気ヘッド６を移動し（ステップ５０１）、第１のカウンタをｋ＝１にセットし（ステップ５０２）、第２のカウンタをｎ＝１にセットする（ステップ５０３）。
【０１０３】
次に、ｎ≦４であるか否かを判断し（ステップ５０４）、ｎ≦４の場合には、当該トラック（現在磁気ヘッド６が位置しているトラック）に記録されている信号の消去を行う（ステップ５０５）。
【０１０４】
ステップ５０５が終了したら、ＩＤデータに基づいて、消去すべき画像における次トラック（図４に示すトラックパターンにおいては、Ｐｒ２  に相当する）を検出し、この次トラック上に磁気ヘッド６を移動し（ステップ５０６）、第２のカウンタｎを１だけインクリメントし（ステップ５０７）、再びステップ５０４へ戻る。
ステップ５０４〜５０７を繰り返し実行し、ステップ５０４において、ｎ＞４となったら、ｋ＝２であるか否かを判断する（ステップ５０８）。
【０１０５】
ステップ５０８において、ｋ＝２でない場合、すなわちｋ＝１の場合には、ＩＤデータに基づいて、消去すべき画像の第２フィールドに属する色差信号Ｐｒ３  が記録されている第１３番目のトラックを検出し、この第１３番目のトラック上に磁気ヘッド６を移動し（ステップ５０９）、第１のカウンタｋを１だけインクリメントして、ｋ＝２とし（ステップ５１０）、第２のカウンタをｎ＝１にセットする（ステップ５０３）。
【０１０６】
次に、ｎ≦４であるか否かを判断し（ステップ５０４）、ｎ≦４の場合には、当該トラック（現在磁気ヘッド６が位置しているトラック）に記録されている信号の消去を行う（ステップ５０５）。
【０１０７】
ステップ５０５が終了したら、ＩＤデータに基づいて、消去すべき画像における次トラック（図４に示すトラックパターンにおいては、Ｐｒ４  に相当する）を検出し、この次トラック上に磁気ヘッド６を移動し（ステップ５０６）、第２のカウンタｎを１だけインクリメントし（ステップ５０７）、再びステップ５０４へ戻る。
【０１０８】
ステップ５０４〜５０７を繰り返し実行し、ステップ５０４において、ｎ＞４となったら、ｋ＝２であるか否かを判断し（ステップ５０８）、ステップ５０８において、ｋ＝２と判断されたらこのプログラムを終了する。
【０１０９】
図１０に示すプログラムの実行により、磁気ディスク３のトラックに記録された色差信号Ｐｒ１  、Ｐｒ２  、Ｐｂ１  、Ｐｂ２  、Ｐｒ３  、Ｐｒ４  、Ｐｂ３  およびＰｂ４  が順次消去される。
【０１１０】
また、前記消去パターンとして２パターンを選択した場合も同様に、ＩＤデータに基づいて順次消去される。例えば、第１フィールド消去と色差信号トラック消去とを選択した場合には、図４に示すトラックパターンの例では、輝度信号Ｙ１  〜Ｙ４  、色差信号Ｐｒ１  、Ｐｒ２  、Ｐｂ１  、Ｐｂ２  、色差信号Ｐｒ３  、Ｐｒ４  、Ｐｂ３  およびＰｂ４  が順次消去される。また、第２フィールド消去と色差信号トラック消去とを選択した場合には、図４に示すトラックパターンの例では、輝度信号Ｙ５  〜Ｙ８  、色差信号Ｐｒ３  、Ｐｒ４  、Ｐｂ３  、Ｐｂ４  、色差信号Ｐｒ１  、Ｐｒ２  、Ｐｂ１  およびＰｂ２  が順次消去される。
【０１１１】
このように本発明では、ＩＤデータを利用することにより、選択された種類の画像信号のみを消去し、かつ、選択された種類の画像信号の全てを消去することができるので、少ないエリアに目的に応じて画像信号を残しておくことができ、しかも、従来のように消去によって正常な画面を構成できない無駄なトラックが生じることがなく、このため磁気ディスクの利用効率が向上する。
【０１１２】
なお、本発明において、画像信号を消去する機能とは、所定トラックの画像信号を単に消去する場合と、画像信号の消去と同時に新たな画像信号を記録（オーバーライト）する場合とを含む。
【０１１３】
図２は、本発明のスチルビデオ装置の再生系の構成例を示すブロック図である。なお、同図に示すスチルビデオ装置１において、磁気ディスク３、モータ駆動回路４、スピンドルモータ５、磁気ヘッド６およびトラッキング駆動回路７で構成される磁気ディスクドライブ機構２、操作部８、表示部（図示せず）およびシステム制御回路１０については、前記図１に示す記録系のものと同様または兼用である。
【０１１４】
回転する磁気ディスク３に対し、磁気ヘッド６を１つの静止画像に対応した画像信号が記録された所定のトラック、すなわち図４に示す１６本のトラック上に所定の順序で移動して、それぞれのトラックから順次画像信号およびＤＰＳＫ信号を読み取る。
【０１１５】
この場合、本実施例では、１つの静止画像に対応する１６本のトラックに記録された画像信号のうち、まず、磁気ディスク３の外周側のトラックに記録された輝度信号Ｙ１  〜Ｙ４  の読み取りおよびＹメモリー３９Ａへの書き込みを行ない、次いでこれらの内周側に隣接するトラックに記録された色差信号Ｐｒ１  およびＰｒ２  の読み取りおよびＰｒメモリー３９Ｂへの書き込みを行ない、次いでこれらの内周側に隣接するトラックに記録された色差信号Ｐｂ１  およびＰｂ２  の読み取りおよびＰｂメモリー３９Ｃへの書き込みを行なって第１フィールドに属する画像信号の再生を行った後、これと同様にして第２フィールドに属する輝度信号Ｙ５  〜Ｙ８  、色差信号Ｐｒ３  、Ｐｒ４  、Ｐｂ３  およびＰｂ４  の再生を行う。
【０１１６】
磁気ヘッド６により読み出された画像信号等は、まず再生アンプ３０により増幅され、そのうち、輝度信号（Ｙ＋Ｓ）、色差信号（Ｐｒ＋Ｓ）および色差信号（Ｐｂ＋Ｓ）は、それぞれ図示しないハイパスフィルターを通過して画像信号の再生処理回路３１に入力され、ＦＭ復調される。また、読み出されたＤＰＳＫ信号は、図示しないバンドパスフィルターを通過してＩＤ再生処理回路３２に入力され、ＤＰＳＫ復調されてＩＤデータが再生される。このＩＤデータは、システム制御回路１０に入力される。
【０１１７】
また、再生アンプ３０の出力側には、エンベロープ検波回路３３が接続され、このエンベロープ検波回路３３により、磁気ヘッド６により読み出された再生信号のエンベロープ（包絡線）を検出し、これに応じたエンベロープ検波信号をシステム制御回路１０に出力する。システム制御回路１０では、このエンベロープ検波信号の出力が最大となるように、トラッキング駆動回路７を制御して磁気ヘッド６のオートトラッキングを行う。
このような磁気ヘッド６のオートトラッキングや、後述するスピンドルモータ５の回転位相制御を行うことにより、良好な静止画像が得られる。
【０１１８】
再生処理回路３１にてＦＭ復調された輝度信号（Ｙ＋Ｓ）、色差信号（Ｐｒ＋Ｓ）および色差信号（Ｐｂ＋Ｓ）は、ローパスフィルター３４を通過して高域をカットされた後、それぞれの信号から、同期信号分離回路３６により水平および垂直同期信号（Ｓ）が分離、抽出されて、システム制御回路１０およびクロック生成回路３７のそれぞれに入力される。システム制御回路１０へ入力された水平および垂直同期信号（Ｓ）は、例えばＩＤデータの読み込み等に使用される。また、クロック生成回路３７ではメモリーへの書き込みの基準となるメモリー書込クロック信号が生成され、生成されたメモリー書込クロック信号は、Ａ／Ｄ変換器３８およびメモリー制御回路３５のそれぞれに入力される。
【０１１９】
ＦＭ復調され、かつ水平および垂直同期信号（Ｓ）が分離された輝度信号（Ｙ）は、Ａ／Ｄ変換器３８によりデジタル信号に変換され、Ｙメモリー３９Ａの所定のアドレスに一旦蓄えられる。
ＦＭ復調され、かつ水平および垂直同期信号（Ｓ）が分離された色差信号（Ｐｒ）は、Ａ／Ｄ変換器３８によりデジタル信号に変換され、Ｐｒメモリー３９Ｂに一旦蓄えられる。また、同様に色差信号（Ｐｂ）は、Ａ／Ｄ変換器３８によりデジタル信号に変換され、Ｐｂメモリー３９Ｃに一旦蓄えられる。
【０１２０】
システム制御回路１０は、磁気ヘッド６により読み出された画像信号が、輝度信号Ｙ１  〜Ｙ８  、色差信号Ｐｒ１  〜Ｐｒ４  、色差信号Ｐｂ１  〜Ｐｂ４  のいずれであるか等を再生されたＩＤデータから判別し、これに基づいてメモリー制御回路４５の作動を制御する。
【０１２１】
メモリー制御回路３５は、クロック生成回路３７からのメモリー書込クロック信号に基づいて、各メモリー３９Ａ〜３９Ｃへの書き込みのタイミングをとりつつ下記の制御を行なう。
すなわち、クロック生成回路３７からのメモリー書込クロック信号に基づいて、Ａ／Ｄ変換器３８が作動するとともに、メモリー制御回路３５は、内蔵する書き込み用アドレスカウンターを作動させて、Ｙメモリー１６Ａの所定のアドレスに輝度信号（Ｙ）のデジタルデータを書き込んでいく。
【０１２２】
また、メモリー制御回路３５は、クロック生成回路３７からのメモリー書込クロック信号に基づいて、内蔵する書き込み用アドレスカウンターを作動させて、Ｐｒメモリー３９ＢおよびＰｂメモリー３９Ｃの所定のアドレスにそれぞれ色差信号（Ｐｒ）および色差信号（Ｐｂ）のデジタルデータを書き込んでいく。
なお、輝度信号等の再生信号中に含まれる同期信号（Ｓ）は、サンプリングされず、従って、メモリーへは書き込まれない。
【０１２３】
同期信号発生回路４０からは、高精細画像信号対応の水平および垂直同期信号（ＳＨ  ）が出力され、クロック生成回路４１に入力される。このクロック生成回路４１では各メモリーからの読み出しの基準となるメモリー読出クロック信号が生成され、このメモリー読出クロック信号は、メモリー制御回路３５およびＤ／Ａ変換器４２Ａにそれぞれ入力される。また、このメモリー読出クロック信号は、分周器４３により１／２に分周された後、Ｄ／Ａ変換器４２Ｂおよび４２Ｃにそれぞれ入力される。
【０１２４】
メモリー制御回路３５は、クロック生成回路４１からのメモリー読出クロック信号に基づいて、各メモリー３９Ａ〜３９Ｃからの読み出しのタイミングをとりつつ下記の制御を行なう。
すなわち、クロック生成回路４１からのメモリー読出クロック信号に基づいて、メモリー制御回路３５は、内蔵する読み出し用アドレスカウンターを作動させて、Ｙメモリー３９Ａの所定のアドレスから輝度信号（Ｙ）のデジタルデータを読み出すとともに、Ｄ／Ａ変換器４２Ａが作動して、読み出された輝度信号（Ｙ）のデジタル信号をアナログ信号に変換する。
【０１２５】
また、クロック生成回路４１からのメモリー読出クロック信号に基づいて、メモリー制御回路３５は、内蔵する書き込み用アドレスカウンターを作動させて、Ｐｒメモリー３９ＢおよびＰｂメモリー３９Ｃの所定のアドレスからそれぞれ色差信号（Ｐｒ）および色差信号（Ｐｂ）のデジタルデータを読み出すとともに、Ｄ／Ａ変換器４２Ｂおよび４２Ｃが作動して、読み出された各色差信号のデジタル信号をアナログ信号に変換する。
なお、メモリー制御回路３５において、メモリーの書込制御と読出制御とのモード切り換えは、システム制御回路１０からのモード切換指令信号により制御される。
【０１２６】
また、同期信号分離回路３６からの水平および垂直同期信号（Ｓ）と、同期信号発生回路４０からの水平および垂直同期信号（ＳＨ  ）とは、それぞれ、システム制御回路１０へも入力され、これに基づいてスピンドルモータ５の回転位相制御を行ったり、その他各種動作のタイミング信号として利用される。
【０１２７】
このような高精細度画像の再生の場合、クロック生成回路４１からのメモリー読出クロック信号は、クロック生成回路３７からのメモリー書込クロック信号に比して、大きい周波数、例えば４倍の周波数を有している。従って、輝度信号の読出クロック信号の周波数は、書込クロック信号の周波数の４倍であり、両色差信号の読出クロック信号の周波数は、書込クロック信号の周波数の２倍であり、これにより磁気ヘッド６で読み出された信号に比べ、時間軸圧縮されて元の状態（記録系への入力時の状態）で再生されることとなる。
【０１２８】
アナログ信号とされた輝度信号（Ｙ）、色差信号（Ｐｒ）および色差信号（Ｐｂ）は、それぞれ、ローパスフィルター４４Ａ、４４Ｂおよび４４Ｃにより高域をカットされた後、同期信号付加回路４５Ａ、４５Ｂおよび４５Ｃによって、同期信号発生回路４０からの垂直および水平同期信号（ＳＨ  ）が付加される。
【０１２９】
このようにして得られた輝度信号（Ｙ＋ＳＨ  ）、色差信号（Ｐｒ＋ＳＨ  ）および色差信号（Ｐｂ＋ＳＨ  ）は、それぞれ図示しない出力回路を経てビデオ信号として出力され、接続されたディスプレイに静止画像が再生される。
なお、このような再生系に、前述した画像信号の消去機構が設置されていてもよい。
【０１３０】
本実施例では、ＩＤコードのビットアロケーションは、図７に示す構成とされているが、消去すべき画像信号の記録されているトラックを特定するために十分な情報が記録できるような構成であれば、このような構成に限定されない。
【０１３１】
また、本実施例では、消去パターンとして、全トラック消去、第１フィールド消去、第２フィールド消去および色差信号トラック消去の４パターンがあり、この４パターンから任意に選択できるような構成であるが、消去パターンはこれに限定されない。例えば、これらの他、図４に示すトラックパターンにおいて、第１フィールドの輝度信号Ｙ１  、Ｙ２  、色差信号Ｐｒ１  、Ｐｂ１  、第２フィールドの輝度信号Ｙ５  、Ｙ６  、色差信号Ｐｒ３  、Ｐｂ３  のみを消去し、図３における画面の上半分のみを消去することや、図４に示すトラックパターンにおいて、第１フィールドの輝度信号Ｙ３  、Ｙ４  、色差信号Ｐｒ２  、Ｐｂ２  、第２フィールドの輝度信号Ｙ７  、Ｙ８  、色差信号Ｐｒ４  、Ｐｂ４  のみを消去し、図３における画面の下半分のみを消去することもできる。
【０１３２】
また、消去パターンが予め決められている構成、例えば、全トラック消去、第１フィールド消去、第２フィールド消去、色差信号トラック消去、第１フィールドの色差信号トラック消去および第２フィールドの色差信号トラック消去のいずれかの消去パターンに設定されているものであってもよい。
なお、消去パターンが予め決められている場合には、通常の消去手段、例えば使用者が手動で操作して消去するトラックを決定し、そのトラック上に磁気ヘッドを移動した後消去を行なうような機構を設ければよい。また、本実施例に通常の消去手段が設けられていてもよい。
【０１３３】
また、本実施例では、１つの画面に対応する画像信号について、輝度信号（Ｙ）が記録されるトラック数と、色差信号（Ｐｒ）が記録されるトラック数と、色差信号（Ｐｂ）が記録されるトラック数との比は、４：２：２とされているが、これに限定されず、例えば４：１：１や２：２：２等であってもよい。
【０１３４】
また、本実施例では、画像信号の記録および再生用の磁気ヘッドは１つであるが、記録系および再生系のそれぞれにおいて、複数の磁気ヘッドが設けられていてもよい。このような場合、各磁気ヘッドとしては、例えば、輝度信号（Ｙ）、色差信号（Ｐｒ）および色差信号（Ｐｂ）のそれぞれに対し設けられた専用の磁気ヘッドや、１フィールド分の画像信号に対応する磁気ヘッド（本実施例の場合、並設された８つの磁気ヘッド）が挙げられる。
【０１３５】
また、本実施例では、フレーム記録の場合について説明したが、本発明は、フィールド記録が可能な装置に適用することもできる。
また、本実施例では、色差信号（Ｐｒ）と色差信号（Ｐｂ）とを異なるトラックに記録しているが、これらを同一の１または２以上のトラックに記録してもよい。この場合、色差信号（Ｐｒ）と色差信号（Ｐｂ）とを線順次記録する方法、色差信号（Ｐｒ）と色差信号（Ｐｂ）とをそれぞれ１水平同期期間内で複数に分割（例えば、前半と後半とに２分割）して記録する方法のいずれでもよい。
【０１３６】
また、本実施例では、１つの画面に対応する画像信号について、磁気ディスク３の外周側のトラックから順に記録、再生または消去を行なっているが、この順序に限定されない。
また、本実施例では、磁気ディスク３の外周側から内周側に向けて、第１フィールドの輝度信号Ｙ１  、Ｙ２  、Ｙ３  、Ｙ４  、色差信号Ｐｒ１  、Ｐｒ２  、色差信号Ｐｂ１  、Ｐｂ２  、第２フィールドの輝度信号Ｙ５  、Ｙ６  、Ｙ７  、Ｙ８  、色差信号Ｐｒ３  、Ｐｒ４  、色差信号Ｐｂ３  、Ｐｂ４  の順に１トラックずつ連続的に記録しているが、磁気ディスク３上のトラックパターンはこれに限定されない。
【０１３７】
本発明において、画像信号の記録媒体は、磁気ディスクのような磁気記録媒体に限定されず、例えば光記録媒体、光磁気記録媒体等であってもよい。
本発明のスチルビデオ装置は、前述したような記録系、再生系のいずれか一方または双方を有するものであればよい。
以上、本発明のスチルビデオ装置を、図示の構成例に基づいて説明したが、本発明はこれに限定されるものではない。特に、記録系、再生系の回路構成については、同様の機能を有する任意のものが本発明に含まれる。
【０１３８】
【発明の効果】
以上述べたように、本発明のスチルビデオ装置によれば、目的に応じて選択された種類の画像信号を消去するので、磁気ディスクの省スペース化が図れる。しかも、選択された種類の画像信号の全てを消去し、かつ、それ以外の画像信号を誤って消去することがないので、従来のように、本来消去すべき複数のトラックのうちの何本かが残ったり、本来消去すべきでないトラックを消去してしまうことがなくなる。このため、消去の際、正常な画面を構成できない無駄なトラックが生じることがないので、記録媒体のスペース上の利用効率が良い。
【０１３９】
特に、高精細度画像の記録のように、輝度信号および色差信号をそれぞれ複数のトラックに分けて記録するような場合には、本発明を適用する価値が高い。
また、本発明のスチルビデオ装置は、回路構成が簡単である。
【図面の簡単な説明】
【図１】本発明のスチルビデオ装置の記録系の構成例を示すブロック図である。
【図２】本発明のスチルビデオ装置の再生系の構成例を示すブロック図である。
【図３】各メモリーにおける画像信号の記憶領域パターンの一例を示す模式図である。
【図４】磁気ディスク上に形成されるトラックパターンの一例を示す図である。
【図５】スチルビデオ装置の記録系に入力される輝度信号（Ｙ）とトラックに記録される輝度信号（Ｙ）との関係を示すタイムチャートである。
【図６】スチルビデオ装置の記録系に入力される色差信号（Ｐｒ）とトラックに記録される色差信号（Ｐｒ）との関係を示すタイムチャートである。
【図７】ＩＤコードのビットアロケーションの一例を示す図である。
【図８】画像信号の消去のシーケンスを示すフローチャートである。
【図９】第１フィールドに属する画像信号の消去のシーケンスを示すフローチャートである。
【図１０】色差信号の消去のシーケンスを示すフローチャートである。
【符号の説明】
１            スチルビデオ装置
２            磁気ディスクドライブ機構
３            磁気ディスク
４            モータ駆動回路
５            スピンドルモータ
６            磁気ヘッド
７            トラッキング駆動回路
８            操作部
１０          システム制御回路
１１Ａ、１１Ｂ、１１Ｃ  ローパスフィルター
１２          メモリー制御回路
１３          同期信号分離回路
１４          クロック生成回路
１５Ａ、１５Ｂ、１５Ｃ  Ａ／Ｄ変換器
１６Ａ        Ｙメモリー
１６Ｂ        Ｐｒメモリー
１６Ｃ        Ｐｂメモリー
１７          分周器
１８          同期信号発生回路
１９          クロック生成回路
２０Ａ、２０Ｂ、２０Ｃ  Ｄ／Ａ変換器
２１Ａ、２１Ｂ、２１Ｃ  ローパスフィルター
２２Ａ、２２Ｂ、２２Ｃ  同期信号付加手段
２３          切替スイッチ
２４          記録処理回路
２５          ＩＤ記録回路
２６          加算器
２７          記録アンプ
２８          消去信号発生回路
２９          切替スイッチ
３０          再生アンプ
３１          再生処理回路
３２          ＩＤ再生処理回路
３３          エンベロープ検波回路
３５          メモリー制御回路
３６          同期信号分離回路
３７          クロック生成回路
３８          Ａ／Ｄ変換器
３９Ａ        Ｙメモリー
３９Ｂ        Ｐｒメモリー
３９Ｃ        Ｐｂメモリー
４０          同期信号発生回路
４１          クロック生成回路
４２Ａ、４２Ｂ、４２Ｃ  Ｄ／Ａ変換器
４３          分周器
４４Ａ、４４Ｂ、４４Ｃ  ローパスフィルター
４５Ａ、４５Ｂ、４５Ｃ  同期信号付加手段
１０１〜１１１  ステップ
３０１〜３０６  ステップ
５０１〜５１０  ステップ
【図１】
0003548187.tif 000006
【図２】
0003548187.tif 000007
【図３】
0003548187.tif 000008
【図４】
0003548187.tif 000009
【図５】
0003548187.tif 000010
【図６】
0003548187.tif 000011
【図７】
0003548187.tif 000012
【図８】
0003548187.tif 000013
【図９】
0003548187.tif 000014
【図１０】
0003548187.tif 000015